(57)【要約】      （修正有）【課題】立体型鍵錠により模倣複製を作りにくくし、異状解錠行動を至難にし不正防止する。【解決手段】立体型鍵錠１本体の案内軸バネ２で元錠３・中錠４・掛留金５を連接し、元錠３を丸筒掛止爪６の制動孔７に貫入係合、掛留金５側面に並列付着したかんぬき盤８を連動かん９で中錠４を中介にして丸筒掛止爪６と係り合はし、別体に立体型鍵１０を設ける。戸扉に設置した立体型鍵錠１本体かぎ穴に立体型鍵１０を挿入、かんぬき盤８を掛留金５と並列にし、かんぬき効果をほどこし施錠戸締まりし、掛留金５とかんぬき盤８の並列を解き解錠し戸扉自由開閉に、手動レバー１２は屋内あるいは室内から戸扉の施錠または解錠を任意手動でおこなうものである。【選択図】      図１
2004169534.tif 000002
【特許請求の範囲】
【請求項１】
元錠（３）に付す案内軸バネ（２）に中錠（４）の案内軸孔（１９）で挿入し元錠（３）と連接し、元錠（３）・角穴（１５）内にカム当盤（２５）を配置、伸縮バネ（２６）を挿入したカム当軸（２３）右先端から中錠（４）・カム当軸穴（２０）に挿着、左先端を元錠（３）・カム当軸孔（１７）に貫入し角穴（１５）内カム当盤（２５）に当着、ついで掛留金（５）・案内軸バネ穴（２９）にガイドパイプ（２４）をかん入固結し、掛留金（５）・案内軸バネ穴（２９）に伸縮バネ（２６）を挿入のうえ、ガイドパイプ（２４）を案内軸バネ（２）に装入さらに中錠（４）・案内軸孔（１９）を貫設、ガイドパイプ（２４）左端を中錠（４）左端に突出、元錠（３）・中錠（４）・掛留金（５）を連接し各間を所定幅にし、ついで複数の丸筒を重複し左端を施解錠口（３０）に右端をせり出し上下一対をリングバネ（３１）で連結した丸筒掛止爪（６）、同爪（６）の中腹に制動孔（７）を貫設し、元錠（３）を制動孔（７）に貫入、丸筒掛止爪（６）内にあらかじめ装入した左丸太軸（３６）と右丸太軸（３７）の真中に元錠（３）を挟持し、叉左丸太軸（３６）及び右丸太軸（３７）は丸筒掛止爪（６）の芯軸に、右丸太軸（３７）側から手動レバー軸（３５）を挿入、軸左端を基板軸受（３８）で支持し右端に手動レバー（１２）を付着し、元錠・角穴（１５）内のレバーカム（３９）をカム当盤（２５）に係合し、レバーカム（３９）上面と元錠・角穴（１５）の間隙にカムバネ（４０）を挿入、左丸太軸（３６）を装着溝（４１）で基板軸受（３８）に装着、左丸太軸（３６）下端に障害軸孔（４２）に障害軸（４３）を装入、叉元錠（３）下端の機軸穴（５１）に非常防止鍵（５２）を装入し、障害軸孔（４２）内で障害丸軸（５４）先端と非常防止鍵（５２）先端が当接し、次いで丸筒掛止爪（６）・施解錠口（３０）両端縁を所定位置に突出し、最上段右端及び最下段左端を解錠設定爪（３３）に二段目左端及び三段目右端を施錠設定爪（３４）にし、叉制動孔（７）の最上段上左側縁及び上右側縁を解掛止爪（７０）、最下段下左側縁を解掛止爪（７０）にし二段目上右側縁及び三段目下右側縁を掛止爪（３２）にしたうえ最上段及び三段目丸筒は右微回動し、二段目及び最下段丸筒は左微回動し、最上段丸筒・解掛止爪（７０）は元錠（３）左上解錠掛角（１４）に係合、最下段丸筒・解掛止爪（７０）は元錠（３）左下解錠掛角（１４）に係合、二・三段目丸筒・掛止爪（３２）を元錠（３）右上下・施錠掛角（１３）に各々係合、さらにかんぬき盤（８）をかんぬき溝（２８）に装入し掛留金・摺動先端（２７）を遮蔽するかんぬき盤（８）の支点芯軸（４５）で付着する連動かん（９）・連動元端（４６）を拡張バネ溝（４４）の拡張バネ（４７）で抑圧し、連動先端（４８）を丸筒掛止爪（６）・制動孔（７）右側最上段丸筒・解掛止爪（７０）に挿入係合すると共に押込掛角（４９）を中錠（４）・押出ピン（２２）と係合する立体型鍵錠。
【請求項２】
立体型鍵錠（１）に組み込んだ基板軸受（３８）に付着する防護板（５６）に障害突起（５７）及び案内溝（５８）及び障害軸口（５９）を配設し防護板（５６）と対面する防護フレーム（５５）・符丁盤（６０）の間隙を施解錠室（６２）にし符丁盤（６０）に符丁突起（６１）及び案内溝（５８）を配設した立体型鍵錠。
【請求項３】
立体型鍵（１０）上左側面縁に符丁突起（６１）と合符する雄符丁突起（６３）及び上右側面縦軸に沿って導通溝（６４）を刻設さらに上右両側端縁に丸筒掛止爪（６）・施解錠口（３０）・解錠設定爪（３３）及び施錠設定爪（３４）と係合する双曲縁（６５）を形成した立体型鍵の立体型鍵錠。
【発明の詳細な説明】
【０００１】
【発明の属する技術分野】
本発明は建物及び部屋の出入口に取り付ける戸扉に設置する施錠装置である。
【０００２】
【従来の技術】
建物及び部屋の出入口に戸扉を取り付け、居住者以外の他者の入出を塞ぐ為の戸扉に設置する通常丸ハンドル平型鍵錠は、丸ハンドル円型側面中心にかぎ穴があり戸締の際、かぎ穴に平型鍵を挿入し丸ハンドル本体内部に組込む掛留金作動機構を平型鍵で操作し掛留金を作動、戸扉を蝶番で片持ちし出入口の周縁に固結した外枠材の一端に掛留金を引つ掛けて戸締まり不動（施錠）にし、かぎ穴から平型鍵を引き抜く。次ぎに施錠戸扉の開扉（解錠）は、先に丸ハンドルかぎ穴に挿入したのと同一平型鍵をかぎ穴に挿入し、掛留金作動機構を操作、戸扉外枠に引っ掛けた掛留金を引っ込め掛留金作動機構内に収め戸扉自由開閉にし、かぎ穴から平型鍵を引き抜く。また、厳重戸締まりにかんぬきを併用することもある。
【０００３】
【発明が解決しようとする課題】
平型鍵錠は多種類あるが平型鍵と鍵錠本体は二個一対で基本的構造・機能及び取扱いは同様で、一種類の平型鍵で施錠解錠できる鍵錠本体は一対に組合はした鍵錠本体に限定する。ところが平型鍵は真正平型鍵の模倣複製をつくり、他者による異状解錠開扉が行なわれる事もある。又、かぎ穴設定が前方空間が広い戸扉正面側水平方向軸に位置し、人物が直立自然姿勢で平型鍵を挿入できるために、真正平型鍵による解錠開扉以外に不正器物による異状解錠戸扉開放もあり得る。
【０００４】
本発明は平型鍵にかえ固形立体型鍵を精密構造と成し容易な模倣複製を防止、また掛留金にかんぬき効果部材を付加、さらに下面方向から立体型鍵を挿入するようにかぎ穴位置を手狭になる丸ハンドル下部側垂直方向軸に設定し、かぎ穴の直視及び不正器物類の挿入を仕難くし、戸扉異状解錠開放防止の目的を果たす。
【０００５】
【課題を解決するための手段】
立体型鍵錠本体はバネと軸を組んだ案内軸バネで元錠・中錠・掛留金を連接、元錠を丸筒掛爪の制動孔に貫入、中錠は元錠と連動および独自の作動をする。
【０００６】
掛留金はかんぬき盤を並列付着し、元錠及び中錠の施解錠作動で動作をする。
【０００７】
かんぬき盤はかんぬき効果を発揮し、一端に連動かんを支点芯軸で付着する。
【０００８】
連動かんは連動元端を拡張バネで抑圧し支点芯軸を支点に連動先端を持ち上げ押込掛角を中錠押出ピンと係り合はし連動先端を丸筒掛止爪制動孔に挿入する。
【０００９】
丸筒掛止爪は丸筒を重合、左端を施解錠口に、右端を段階状上下一対をリングバネで連結し作動復元力にし、中腹胴の制動孔掛止爪を元錠及び連動かんに係り合はし立体型鍵錠本体を施錠解錠機能態勢（ドライブモード）に設定する。
【００１０】
手動レバー軸は元錠角穴を貫通し元錠を左丸太軸、右丸太軸の真ん中に挟持、丸筒掛止爪の芯軸にし、左端を基板軸受で支持、右端に手動レバーを付着する。
【００１１】
手動レバー軸が貫通する元錠角穴内のレバーカムにカム当盤カム当軸を係り合はし、カム当軸は元錠角穴右端縁を縦貫し中錠に連動、叉レバーカム上面と元錠角穴内縁にカムバネを挟み込み動作を抑制、反発弾みを付けるものである。
【００１２】
左丸太軸は基板軸受にはめ込み、下端縁の障害軸孔に障害軸を挿入している。
【００１３】
障害軸は伸縮バネにより障害軸孔内で左右移動し障害軸頭を孔外に突き出す。
【００１４】
障害軸と同軸心の元錠下端の機軸穴に非常防止鍵（ストッパー）を内蔵する。
【００１５】
非常防止鍵は障害軸の異状動作及び破損状態に即応し解錠を厳重に阻止する。
【００１６】
基板軸受は障害突起及び案内溝・障害軸口を設けた防護板を付着し、防護板と防護フレーム符丁盤との間隙に立体型鍵を挿入する施解錠室を設定する。
【００１７】
防護フレーム・符丁盤は符丁突起及び案内溝を設け防護板と対象対面にする。
【００１８】
防護フレームに組込んだ立体型鍵錠本体に器械カバーを被せ、さらにかぎ穴を設け開閉アートハンドル及び戸扉取付金具を付した外装化粧カバーを装着する。
【００１９】
別体の立体型鍵は符丁盤の符丁突起に合致する雄符丁突起及び障害軸を所定の動作に行はす導通溝、丸筒掛止爪施解錠口に挿入係り合はす双曲縁に形成する。
【００２０】
以上のように手段を講じた立体型鍵錠本体を戸扉所定位置に設置、立体型鍵をかぎ穴から施解錠室ついで施解錠口に装着し施解錠態勢を設定し戸締開扉する。
【００２１】
叉、手動レバーを操作し手動レバー軸を作動し解錠した戸扉を内在者が戸締め施錠し、あるいは屋外室外から施錠した戸扉を内在者が解錠することができる。
【００２２】
不正器具物をかぎ穴から施解錠室に挿入の際は障害軸で施解錠口には符丁突起及び障害突起で侵入妨害、さらに障害軸及び非常防止鍵で戸扉開放を阻止する。
【００２３】
【発明の実施の形態】
図１・２・３に示す立体型鍵錠１本体の構成は案内軸バネ２の一端を元錠３の右側面に固結し、ついで中錠４及び掛留金５を案内軸バネ２に挿入し連接する。
【００２４】
元錠３右上下に施錠掛角１３及び左上下に解錠掛角１４を形成し、側面に角穴１５を貫設し、正面右端平面に段差面１６を形成、角穴１５の右端に元錠・カム当軸孔１７を貫設し、左側面に原動バネ穴１８を穿設する。
【００２５】
中錠４上下に案内軸孔１９を貫設、中間にカム当軸穴２０を穿設、背面左端面に元錠・段差面１６と重なる段差面２１を成型、正面側に押出ピン２２を付設、中錠・案内軸孔１９で案内軸バネ２に挿入し、ついでカム当軸２３を装着する。
【００２６】
図３・４に示すカム当盤２５を角穴１５内に配置し、伸縮バネ２６を装入したカム当軸２３の右端から中錠・カム当軸穴２０に挿入し中錠４に連結し、ついで左端から元錠・カム当軸孔１７に貫入、角穴１５内のカム当盤２５に連接する。
【００２７】
図４・５に示す掛留金５右端を摺動先端２７にし、正面側をかんぬき溝２８に形成、左側面上下に案内軸バネ穴２９を穿設、同バネ穴２９に案内軸バネ２外形同等内径にしたガイドパイプ２４をかん入、案内軸バネ穴２９に伸縮バネ２６を装入、ガイドパイプ２４で案内軸バネ２に挿入、ガイドパイプ２４外径同等内径の中錠・案内軸孔１９を貫通し中錠４左端に突出し、元錠３・中錠４・掛留金５を連接し各々所定間隔幅にし、元錠３を丸筒掛止爪６・制動孔７に貫入する。
【００２８】
図５・６・７に示す丸筒掛止爪６は複数の丸筒を重合、左端は施解錠口３０に右端を階段状せり出し上下一対をリングバネ３１で連結、筒中腹を横軸に制動孔７を貫設、最上段及び最下段丸筒・制動孔７左上下端縁を解掛止爪７０に、二・三段目丸筒・制動孔７右上下端縁を掛止爪３２にし、叉施解錠口３０内両端縁の最上段右及び最下段左を解錠設定爪３３に、二段目左及び三段目右を施錠設定爪３４にし、さらに最上段及び三段目丸筒は右微回動し、二段目及び最下段丸筒は左微回動に可動、制動孔７に挿入した元錠３右上下施錠掛角１３に掛止爪３２、元錠３左上下解錠掛角１４には解掛止爪７０を各々係合、リングバネ３１は複数重合丸筒上下を相互に引き合うようにし、次いで手動レバー軸３５を装着する。
【００２９】
図４・５・６に示す手動レバー軸３５は、丸筒掛止爪６内にあらかじめ装入し左丸太軸３６と右丸太軸３７の真中に元錠３を挟持し丸筒掛止爪６の芯軸にし、右丸太軸３７側から手動レバー軸３５を装入、軸左端を基板軸受３８で支持し、右端に手動レバー１２を付着、ついで元錠・角穴１５内のレバーカム３９を先に配置したカム当盤２５に係合、レバーカム３９上面と角穴１５内縁との間にカムバネ４０を挿入、左丸太軸３６は装着溝４１で基板軸受３８にはめこみ不動に、また左丸太軸３６下端に後述する障害軸孔４２を貫設し障害軸４３を装入する。
【００３０】
図３・５・６に示すようにかんぬき盤８は掛留金５・かんぬき溝２８に装入、正面側の両端を凹形台座状の拡張バネ溝４４に形成、右端をかんぬき盤、左端に連動かん９を支点芯軸４５で付着、折りこんだ連動元端４６を拡張バネ溝４４に装入した拡張バネ４７で抑圧し連動先端４８を持上げ丸筒掛止爪６・制動孔７に挿入すると共に押込掛角４９を中錠・押出ピン２２と係合、また拡張バネ４７の他端を器械カバー５０に当接した伸張力でかんぬき盤８を左方向側え突っぱる。
【００３１】
図８に示す左丸太軸３６の下端に障害軸孔４２を貫設し、障害軸４３を装入、障害軸孔４２同一軸心の元錠３下端の機軸穴５１に非常防止鍵５２を装入する。
【００３２】
障害軸４３は障害軸頭５３下側を円滑面に右端を障害丸軸５４にし、障害軸孔４２に伸縮バネ２６を挿入、障害軸４３を障害丸軸５４から障害軸孔４２に装入し障害軸頭５３を突出、叉非常防止鍵５２も機軸穴５１内伸縮バネ２６で機軸穴５１口外に突出し障害軸孔４２に進出、障害丸軸５４先端と非常防止鍵５２先端が障害軸孔４２内で衝きあい施解錠機能態勢（ドライブ・モード）に係り合う。
【００３３】
図８・９・１０に示す基板軸受３８は防護フレーム５５と合体し基板軸受３８に付着する防護板５６縦軸中心に障害突起５７及び案内溝５８・障害軸口５９を防護板５６縦軸中心位置と対面する防護フレーム５５・符丁盤６０縦軸中心位置に符丁突起６１及び案内溝５８を設置し、防護板５６及び符丁盤６０との間隙を施解錠室６２に設定、丸筒掛止爪６・施解錠口３０縦軸中心と施解錠室６２縦軸中心は合致し、後述する立体型鍵１０を装入着し、施解錠機能態勢を設定する。
【００３４】
図１０・１１に示す立体型鍵１０は左側面先端縁に符丁突起６１と雌雄噛合に合致する雄符丁突起６３を、障害軸４３・障害軸頭５３に摺動する導通溝６４を右側面縦軸に沿って刻設、従って、符丁突起６１と雄符丁突起６３及び障害突起５７と導通溝６４は合致形成になり、さらに丸筒掛止爪６・施解錠口３０の解錠設定爪３３及び施錠設定爪３４と係合する双曲縁６５を右先端両縁に形成する。
【００３５】
以上、立体型鍵錠１は構成し、かぎ穴１１を設け開閉アートハンドル６６及び戸扉取付金具６７を付した外装化粧カバー６８を装着し、施錠係合態勢にする。
【００３６】
図４・８・１０に示すように係合設定は施錠機能態勢（ロックモード）を基本にし、原動バネ管６９に伸縮バネ２６を挿入し器械カバー５０左端の所定穴から元錠３・原動バネ穴１８に装入、原動バネ管６９は器械カバー５０に固結、元錠３を右方向側え押圧する常態にしておき、また元錠３・機軸穴５１内非常防止鍵５２を左丸太軸３６・障害軸孔４２に進入状が元錠３施錠態勢所定位置になる。
【００３７】
図３・４に示す丸筒掛止爪６・制動孔７の掛止爪３２及び解掛止爪７０を設定する。最上段及び最下段丸筒・解掛止爪７０を元錠３左上下・解錠掛角１４に、二・三段目丸筒・掛止爪３２を元錠３右上下・施錠掛角１３に各々係り合はす。
【００３８】
上記最上段丸筒・解掛止爪７０は元錠左上・解錠掛角１４左方に、最下段丸筒・解掛止爪７０は元錠左下・解錠掛角１４下平面に圧接し、また制動孔７に挿入した連動先端４８には最上段丸筒・制動孔７右側の解掛止爪７０を係り合はす。
【００３９】
図２・６に示す掛留金５・摺動先端２７は器械カバー５０の右端縁外に突出し案内軸バネ２で右方向側極限に圧迫、施錠設定の際は、かんぬき盤８が掛留金５・摺動先端２７に並列付着不動にし、戸扉外枠７１・掛留穴７２との直接摺動を遮断（カバーする）し極先端余裕は解錠の際に自由動作（フリー遊び）をする。
【００４０】
図３・４に示すように中錠４の施錠態勢は、押出ピン２２と連動かん９・押込掛角４９との係合及び元錠３・角穴１５内手動レバー軸３５・レバーカム３９とカム当盤２５・カム当軸２３・中錠４の従動係合が施錠叉は解錠態勢になる。
【００４１】
なお、元錠３・中錠４・掛留金５の各間隔合計幅は、掛留金５の片道行程幅に同等、掛留金５と中錠４の間隔は遊び幅、中錠４と元錠３は施解錠行程である。
【００４２】
【実施例】
図２・３に示す施錠態勢の立体型鍵錠１本体を戸扉所定位置に設置のうえ閉じめし掛留金５・摺動先端２７を戸扉外枠７１・掛留穴７２に引っ掛けておく。
【００４３】
図１０・１２・１３に示す屋外或いは室外から立体型鍵１０を外装化粧カバー６８・かぎ穴１１から施解錠室６２に挿入、障害軸頭５３を符丁盤６０に当着し施解錠室６２を閉塞する障害軸４３・障害軸頭５３に導通溝６４先端が当接し、障害軸４３を押し除け通行する、障害軸４３は導通溝６４深浅形状に従って一旦障害軸孔４２内の非常防止鍵５２を機軸穴５１に押し戻し障害丸軸５４も機軸穴５１内に進入後に復帰し、導通溝６４の最深所定位置に障害軸４３が定置する。
【００４４】
図１２に示す、上記障害軸４３・障害丸軸５４先端と非常防止鍵５２先端との接触面は元錠３側縁と左丸太軸３６側縁との境界面と一致し元錠３可動となる。
【００４５】
図１３に示す立体型鍵１０・導通溝６４は丸筒掛止爪６・施解錠口３０に進入直前に案内溝５８及び障害突起５７と合致し通過、符丁盤６０・符丁突起６１と立体型鍵１０・雄符丁突起６３とも合致し施解錠口３０に挿入し装着する。
【００４６】
図３・１４に示す施解錠口３０の立体型鍵１０・双曲縁６５を解錠設定爪３３及び施錠設定爪３４に係合押圧、二段目丸筒施錠設定爪３４を左微回動し掛止爪３２を元錠３上右施錠掛角１３から、三段目丸筒施錠設定爪３４は右微回動して掛止爪３２を元錠３下右施錠掛角１３から各離脱、最上段丸筒解錠設定爪３３は右微回動し解掛止爪７０を元錠３上左解錠掛角１４左から離脱、同時に制動孔７に挿入する連動先端４８を解掛止爪７０で押し下げ押出ピン２２と押込掛角４９との係合解除するが、最下段丸筒解錠設定爪３３には双曲縁６５は係合しない。
【００４７】
図１４・１５に示す押出ピン２２と押込掛角４９との係合解除で、掛留金５を遮蔽する連動かん９・かんぬき盤８は左方向側え作動し掛留金５は可動になる。
【００４８】
図１４・１５に示すように立体型鍵１０を装着し解錠した戸扉を開放すれば、掛留金５・摺動先端２７は戸扉外枠７１・掛留穴７２を滑動飛越え一旦左方向え押し込まれ、戸扉開放直後に再び元位置に突出する。この際の極短時間往復行程動作が動力になり、立体型鍵錠１本体の構成要素が作動する。
【００４９】
図１５・１６に示すように掛留金５は左方向え作動し、先ず掛留金５左端面を中錠４右端面に当接すると同時にガイドパイプ２４右端を元錠３右端面に当接し元錠３・中錠４の連接間隔を所定間隔幅を保持しながら左方向え作動する。
【００５０】
図１４・１５・１６に示すように掛留金５の作動片道行程幅を１０とすれば、掛留金５をかんぬき盤８の遮蔽幅は６、摺動先端２７の極端遊び幅は４となる。
【００５１】
図１７・１８に示すように元錠３・中錠４の左方向側に到達した際、中錠４・押出ピン２２と連動かん９・押込掛角４９が再度係り合いすると共に、中錠４・カム当軸２３・カム当盤２５の元錠３・角穴１５内で係合するレバーカム３９を左方向に作動し手動レバー軸３５・手動レバー１２の縦軸のむきを移動する。
【００５２】
図１７に示すように元錠３・中錠４の左方向側極端に到達した際、元錠３下左解錠掛角１４平面に圧接する最下段丸筒解錠設定爪３３・解掛止爪７０がはまり込み係合、元錠３・原動バネ穴１８に装入する原動バネ管６９の右方向側押圧力による反転を留どめ、叉最下段丸筒解錠設定爪３３は施解錠口３０に突出する。
【００５３】
図３に示すように施解錠口３０に突出する最下段丸筒解錠設定爪３３は施錠中は施解錠口３０に他丸筒施解錠設定爪と同等突出せず控えめに定置、施錠の際は立体型鍵１０と係り合はないようにし、施錠の際に立体型鍵１０・双曲縁６５と二段階に係合するように設定、施錠の際に元錠３下解錠掛角１４と解掛止爪７０は係合解除する。（前項の続き、戸扉開放後次いで立体型鍵１０を引きぬく。）
【００５４】
図１６、開扉で掛留金５及び元錠３・中錠４の左方向作動で図１７に示す押出ピン２２に連動かん９・押込掛角４９が再係合し元錠左下・解錠掛角１４に最下段丸筒・解掛止爪７０が係合し元錠３・中錠４を掛け留め、掛留金５は独自に元位置に復帰、図１７・１８は元錠右上下・施錠掛角１３平面が二・三段目丸筒・掛止爪３２先端を受持ち、最上段丸筒・解掛止爪７０右方にある元錠上左・解錠掛角１４は左方移動し、図１９で立体型鍵１０を引き抜けば元錠上左・解錠掛角１４に解掛止爪７０が係合し元錠３・中錠４を拘束、掛留金５は自由動作する。
【００５５】
図２０に示す内在者が外出する際、解錠戸扉を屋外または室外から施錠する。立体型鍵１０をかぎ穴１１から挿入し施解錠口３０に装入係合すれば最上段丸筒・解錠設定爪３３・解掛止爪７０が元錠３上左・解錠掛角１４から、二・三段目丸筒・施錠設定爪３４・掛止爪３２は元錠３右上下・施錠掛角１３を離脱する。
【００５６】
図２０・２１に示すように続いて立体型鍵１０を一層押し込めば双曲縁６５の根本が最下段丸筒・解錠設定爪３３・解掛止爪７０を圧迫係合し、元錠３下左・解錠掛角１４から離脱、元錠３・中錠４は解錠拘束を解除し、原動バネ穴１８・原動バネ管６９の右方向側押圧力で元錠３・中錠４は右方向側極限に突出する。
【００５７】
図２１・３に示す元錠３・中錠４の突出により元錠３右上下・施錠掛角１３は掛止爪３２の真下係合位置に、元錠３上左・解錠掛角１４は解掛止爪７０右方に位置し、元錠３下左・解錠掛角１４は平面を解掛止爪７０先端位置に各々定置、同時に中錠４・押出ピン２２と係合する押込掛角４９で連動かん９・かんぬき盤８も右方向側え作動し掛留金５に並列遮蔽し、掛留金５を戸扉外枠７１・掛留穴７２に掛け留どめ、また元錠３・角穴１５内レバーカム３９に係合するカム当盤２５・カム当軸２３も元位置に復帰、戸締めを確認したうえ立体型鍵１０を引き抜けば、二・三段目丸筒・掛止爪３２は元錠３右上下・施錠掛角１３に係合し、最上段丸筒・解掛止爪７０は元錠３上左・解錠掛角１４左方に、最下段丸筒・解掛止爪７０は元錠３左下・解錠掛角１４平面に当接することにより施錠となる。
【００５８】
図２に示す立体型鍵１０で施錠した立体型鍵錠１を内在者が解錠する場合は、図２２に示すように手動レバー１２を操作し手動レバー軸３５を回動し元錠３・角穴１５内のレバーカム３９に当接するカム当盤２５・カム当軸２３を左方向え作動、連動かん９・かんぬき盤８を伴う中錠４も左方向側え移動、この際元錠３は掛止爪３２で拘束し不動、元錠３・段差面１６に中錠４・段差面２１が重複し元錠３右端と中錠４左端が当接、中錠４右端と掛留金５左端との間隔が拡幅し、かんぬき盤８は掛留金５の遮蔽解除し掛留金５は自由動し戸扉を自由開閉する。
【００５９】
図１９に示す立体型鍵１０で解錠した立体型鍵錠１を内在者が施錠する場合、図２３に示すように手動レバー１２を操作し手動レバー軸３５を回動し元錠３・角穴１５内のレバーカム３９に当接するカム当盤２５・カム当軸２３を右方向え作動し、連動かん９・かんぬき盤８を伴う中錠４も右方向え移動し掛留金５右端との間隔縮小すると共にかんぬき盤８を掛留金５に並列遮蔽し施錠戸閉めする。
【００６０】
図１１に示す立体型鍵１０・雄符丁突起６３と符丁突起６１との合符形状及び障害突起５７・案内溝５８と立体型鍵１０・導通溝６４との内外形状を多種類にわたり設定する事で立体型鍵１０の別途或いは変造立体型鍵の装入を防止する。
【００６１】
図２４は不正器具物類７３の立体型鍵錠１・施解錠室６２に装入の際、障害軸４３及び障害突起５７・符丁突起６１によって施解錠口３０えの装着を妨害し、さらに障害軸４３の不定作動により障害丸軸５４を機軸穴５１に進入或いは非常防止鍵５２を障害軸孔４２に進入、元錠３・中錠４・掛留金５の作動防止する。
【００６２】
図２５に示す障害軸４３先端等損壊せられた場合、障害軸４３が伸縮バネ２６により施解錠室６２の方向側え突出すれば非常防止鍵５２が障害軸孔４２に一層進入し、元錠３・中錠４・掛留金５の左方向側作動を掛け留め解錠阻止をする。
【００６３】
【発明の効果】
立体型鍵錠は特別な製造方法によることなく量産的でコスト低減に適応する。
【００６４】
立体型鍵錠は機能にかんぬき機構を付加し戸締まりに単独で供用できる。
【００６５】
立体型鍵錠はかぎ穴が下面方向に位置し不正施解錠行動に制約を与える。
【００６６】
立体型鍵は不正模倣複製を容易にできない。
【００６７】
立体型鍵錠は不正器具物類で戸扉解錠開放を障害軸及び符丁突起・障害突起で防止し、さらに非常防止鍵（隠しストッパー）で施錠破壊戸扉開放を阻止する。
【図面の簡単な説明】
【図１】立体型鍵錠の全体斜視図である。
【図２】立体型鍵錠の戸扉設置及び立体型鍵の実施例斜視図である。
【図３】立体型鍵錠本体の図６Ａ−Ａ線に沿う要部縦断正面図である。
【図４】立体型鍵錠本体の図３に基ずく要部縦断正面図である。
【図５】立体型鍵錠本体の図３Ｂ−Ｂ線に沿う要部縦断平面図である。
【図６】立体型鍵錠本体の要部縦断平面図である。
【図７】立体型鍵錠本体の図１に基ずく背面斜視図である。
【図８】立体型鍵錠本体の図６Ｃ−Ｃ線に沿う一部省略要部切断右側面図である。
【図９】立体型鍵錠の図１に基ずく要部切断斜視図である。
【図１０】立体型鍵錠本体の要部切断右側面図である。
【図１１】立体型鍵の三面図である。
【図１２】立体型鍵錠本体の図６に基ずく一部省略要部縦断平面図である。
【図１３】立体型鍵錠本体の図８に基ずく要部切断右側面図である。
【図１４乃至２３】立体型鍵錠の図３につづく連続実施例正面図である。
【図２４・２５】立体型鍵錠の不正器具物類による解錠防止例の要部切断右側面図である。
【符号の説明】
１  立体型鍵錠
２  案内軸バネ
３  元錠
４  中錠
５  掛留金
６  丸筒掛止爪
７  制動孔
８  かんぬき盤
９  連動かん
１０  立体型鍵
１１  かぎ穴
１２  手動レバー
１３  施錠掛角
１４  解錠掛角
１５  角穴
１６・２１  段差面
１７  カム当軸孔
１８  原動バネ穴
１９  案内軸孔
２０  カム当軸穴
２２  押出ピン
２３  カム当軸
２４  ガイドパイプ
２５  カム当盤
２６  伸縮バネ
２７  摺動先端
２８  かんぬき溝
２９  案内軸バネ穴
３０  施解錠口
３１  リングバネ
３２  掛止爪
３３  解錠設定爪
３４  施錠設定爪
３５  手動レバー軸
３６  左丸太軸
３７  右丸太軸
３８  基板軸受
３９  レバーカム
４０  カムバネ
４１  装着溝
４２  障害軸孔
４３  障害軸
４４  拡張バネ溝
４５  支点芯軸
４６  連動元端
４７  拡張バネ
４８  連動先端
４９  押込掛角
５０  器械カバー
５１  機軸穴
５２  非常防止鍵
５３  障害軸頭
５４  障害丸軸
５５  防護フレーム
５６  防護板
５７  障害突起
５８  案内溝
５９  障害軸口
６０  符丁盤
６１  符丁突起
６２  施解錠室
６３  雄符丁突起
６４  導通溝
６５  双曲縁
６６  開閉アートハンドル
６７  戸扉取付金具
６８  外装化粧カバー
６９  原動バネ管
７０  解掛止爪
７１  戸扉外枠
７２  掛留穴
７３  不正器具物類
【図１】
2004169534.tif 000003
【図２】
2004169534.tif 000004
【図３】
2004169534.tif 000005
【図４】
2004169534.tif 000006
【図５】
2004169534.tif 000007
【図６】
2004169534.tif 000008
【図７】
2004169534.tif 000009
【図８】
2004169534.tif 000010
【図９】
2004169534.tif 000011
【図１０】
2004169534.tif 000012
【図１１】
2004169534.tif 000013
【図１２】
2004169534.tif 000014
【図１３】
2004169534.tif 000015
【図３】
2004169534.tif 000016
【図１４】
2004169534.tif 000017
【図１５】
2004169534.tif 000018
【図１６】
2004169534.tif 000019
【図１７】
2004169534.tif 000020
【図１８】
2004169534.tif 000021
【図１９】
2004169534.tif 000022
【図２０】
2004169534.tif 000023
【図２１】
2004169534.tif 000024
【図３】
2004169534.tif 000025
【図２２】
2004169534.tif 000026
【図２３】
2004169534.tif 000027
【図２４】
2004169534.tif 000028
【図２５】
2004169534.tif 000029
【手続補正書】
【提出日】平成15年2月25日(2003.2.25)
【手続補正１】
【補正対象書類名】明細書
【補正対象項目名】全文
【補正方法】変更
【補正の内容】
【特許請求の範囲】
【請求項１】元錠（３）に付す案内軸バネ（２）に中錠（４）の案内軸孔（１９）で挿入し元錠（３）と連接し、元錠（３）・角穴（１５）内にカム当盤（２５）を配置、伸縮バネ（２６）を挿入したカム当軸（２３）右先端から中錠（４）・カム当軸穴（２０）に挿着、左先端を元錠（３）・カム当軸孔（１７）に貫入し角穴（１５）内カム当盤（２５）に当着、ついで掛留金（５）・案内軸バネ穴（２９）にガイドパイプ（２４）をかん入固結し、掛留金（５）・案内軸バネ穴（２９）に伸縮バネ（２６）を挿入のうえ、ガイドパイプ（２４）を案内軸バネ（２）に装入さらに中錠（４）・案内軸孔（１９）を貫設、ガイドパイプ（２４）左端を中錠（４）左端に突出、元錠（３）・中錠（４）・掛留金（５）を連接し各間を所定幅にし、ついで複数の丸筒を重複し左端を施解錠口（３０）に右端をせり出し上下一対をリングバネ（３１）で連結した丸筒掛止爪（６）、同爪（６）の中腹に制動孔（７）を貫設し、元錠（３）を制動孔（７）に貫入、丸筒掛止爪（６）内にあらかじめ装入した左丸太軸（３６）と右丸太軸（３７）の真中に元錠（３）を挟持し、叉左丸太軸（３６）及び右丸太軸（３７）は丸筒掛止爪（６）の芯軸に、右丸太軸（３７）側から手動レバー軸（３５）を挿入、軸左端を基板軸受（３８）で支持し右端に手動レバー（１２）を付着し、元錠・角穴（１５）内のレバーカム（３９）をカム当盤（２５）に係合し、レバーカム（３９）上面と元錠・角穴（１５）の間隙にカムバネ（４０）を挿入、左丸太軸（３６）を装着溝（４１）で基板軸受（３８）に装着、左丸太軸（３６）下端に障害軸孔（４２）に障害軸（４３）を装入、叉元錠（３）下端の機軸穴（５１）に非常防止鍵（５２）を装入し、障害軸孔（４２）内で障害丸軸（５４）先端と非常防止鍵（５２）先端が当接し、次いで丸筒掛止爪（６）・施解錠口（３０）両端縁を所定位置に突出し、最上段右端及び最下段左端を解錠設定爪（３３）に二段目左端及び三段目右端を施錠設定爪（３４）にし、叉制動孔（７）の最上段上左側縁及び上右側縁を解掛止爪（７０）、最下段下左側縁を解掛止爪（７０）にし二段目上右側縁及び三段目下右側縁を掛止爪（３２）にしたうえ最上段及び三段目丸筒は右微回動し、二段目及び最下段丸筒は左微回動し、最上段丸筒・解掛止爪（７０）は元錠（３）左上解錠掛角（１４）に係合、最下段丸筒・解掛止爪（７０）は元錠（３）左下解錠掛角（１４）に係合、二・三段目丸筒・掛止爪（３２）を元錠（３）右上下・施錠掛角（１３）に各々係合、さらにかんぬき盤（８）をかんぬき溝（２８）に装入し掛留金・摺動先端（２７）を遮蔽するかんぬき盤（８）の支点芯軸（４５）で付着する連動かん（９）・連動元端（４６）を拡張バネ溝（４４）の拡張バネ（４７）で抑圧し、連動先端（４８）を丸筒掛止爪（６）・制動孔（７）右側最上段丸筒・解掛止爪（７０）に挿入係合すると共に押込掛角（４９）を中錠（４）・押出ピン（２２）と係合する立体型鍵錠。
【請求項２】立体型鍵錠（１）に組み込んだ基板軸受（３８）に付着する防護板（５６）に障害突起（５７）及び案内溝（５８）及び障害軸口（５９）を配設し防護板（５６）と対面する防護フレーム（５５）・符丁盤（６０）の間隙を施解錠室（６２）にし符丁盤（６０）に符丁突起（６１）及び案内溝（５８）を配設した立体型鍵錠。
【請求項３】立体型鍵（１０）上左側面縁に符丁突起（６１）と合符する雄符丁突起（６３）及び上右側面縦軸に沿って導通溝（６４）を刻設さらに上右両側端縁に丸筒掛止爪（６）・施解錠口（３０）・解錠設定爪（３３）及び施錠設定爪（３４）と係合する双曲縁（６５）を形成した立体型鍵の立体型鍵錠。
【発明の詳細な説明】
【０００１】
【発明の属する技術分野】
本発明は建物及び部屋の出入口に取り付ける戸扉に設置する施錠装置である。
【０００２】
【従来の技術】
建物及び部屋の出入口に戸扉を取り付け、居住者以外の他者の入出を塞ぐ為の戸扉に設置する通常丸ハンドル平型鍵錠は、丸ハンドル円型正面中心にかぎ穴があり戸閉の際、かぎ穴に平型鍵を装入し丸ハンドル本体内部に組込む掛留金作動機構を平型鍵で操作し掛留金を作動、戸扉を蝶番で片持ちし出入口の周縁に固結した外枠材の掛留穴に掛留金を引っ掛け戸締まり不動（施錠）にし、かぎ穴から平型鍵を引き抜く、次ぎに施錠戸扉の開扉（解錠）は、先に丸ハンドルかぎ穴に挿入したのと同一平型鍵をかぎ穴に挿入し、掛留金作動機構を操作、戸扉外枠に引っ掛けた掛留金を引っ込め掛留金作動機構内に納め戸扉自由開閉にし、かぎ穴から平型鍵を引き抜き、また、厳重戸締まりにかんぬきを併用することもある。
【０００３】
【発明が解決しようとする課題】
平型鍵錠は多種類あるが平型鍵と鍵錠本体は二個一対で基本的構造・機能及び取扱いは同様で、一種類の平型鍵で施錠解錠できる鍵錠本体は一対に組合はした鍵錠本体に限定、ところで真正平型鍵の模倣複製をつくり、他者による異状解錠開扉が行われることもあり、また、かぎ穴の設置が前方空間がひろい戸扉正面側水平方向軸に位置し人物が直立自然姿勢で平型鍵を挿入できるために真正平型鍵による施錠開扉以外に不正器具物類による異状解錠戸扉開放もあり得る。
【０００４】
本発明は平型鍵にかえ固形立体型鍵を精密精巧と成し容易な模倣複製を防止、また掛留金にかんぬき効果部材を付加、さらに下面方向から立体型鍵を挿入するようにかぎ穴位置を手狭になる丸ハンドル下部側垂直方向軸に設定し、かぎ穴の直視及び不正器具物類の挿入を仕難くし異状解錠戸扉開放防止の目的を果たす。
【０００５】
【課題を解決するための手段】
立体型鍵錠本体はバネと軸を組んだ案内軸バネで元錠・中錠・掛留金を連接、元錠を丸筒掛止爪の制動孔に挿入、中錠は元錠と連動および独自の作動をする。
【０００６】
掛留金はかんぬき盤を並列付着し、元錠及び中錠の施解錠作動で動作をする。
【０００７】
かんぬき盤はかんぬき効果を発揮し、一端に連動かんを支点芯軸で付着する。
【０００８】
連動かんは連動元端を拡張バネで抑圧し支点芯軸を支点に連動先端を持ち上げ押込掛角を中錠・押出ピンと係合し連動先端を丸筒掛止爪・制動孔に挿入する。
【０００９】
丸筒掛止爪は丸筒を重合、左端を施解錠口に、右端を段階状上下一対をリングバネで連結し作動復元力にし、中腹胴の制動孔・掛止爪を元錠及び連動かんに係り合はし、立体型鍵錠本体を施錠解錠機能態勢（ドライブモード）に設定する。
【００１０】
手動レバー軸は元錠・角穴を貫通し元錠を左丸太軸と右丸太軸の真中に挟持し丸筒掛止爪の芯軸にし、左端を基板軸受で支持、右端に手動レバーを付着する。
【００１１】
手動レバー軸が貫通する元錠・角穴内のレバーカムにカム当盤・カム当軸を係り合はし、カム当軸は元錠・角穴右端縁を縦貫し中錠に連動、また、レバーカム上面と元錠・角穴の内縁にカムバネを挟み込み動作を抑制し反発弾みをつける。
【００１２】
左丸太軸は基板軸受にはめ込み、下端縁の障害軸孔に障害軸を挿入している。
【００１３】
障害軸は伸縮バネにより障害軸孔内で左右移動し障害軸頭を孔外に突き出す。
【００１４】
障害軸と同軸心の元錠下端の機軸穴に非常防止鍵（ストッパー）を内蔵する。
【００１５】
非常防止鍵は障害軸の異状動作及び破損状態に即応し解錠を厳重に阻止する。
【００１６】
基板軸受は障害突起及び案内溝・障害軸口を設けた防護板を付着し、防護板と防護フレーム・符丁盤との間隙に立体型鍵を装入する施解錠室を設定する。
【００１７】
防護フレーム・符丁盤は符丁突起及び案内溝を設け防護板と対面対象にする。
【００１８】
防護フレームに組込んだ立体型鍵錠本体に器械カバーを被せ、さらにかぎ穴を設け開閉アートハンドル及び戸扉取付金具を付した外装化粧カバーを装着する。
【００１９】
別体の立体型鍵は符丁盤の符丁突起に合致する雄符丁突起及び障害軸を所定の動作に行はす導通溝、丸筒掛止爪・施解錠口に挿入係合する双曲縁に形成する。
【００２０】
以上、手段を講じた立体型鍵錠を戸扉所定位置に付設、立体型鍵をかぎ穴から施解錠室に挿入、ついで施解錠口に装着し施解錠態勢を設定し戸締開閉を行う。
【００２１】
また、手動レバーを操作し手動レバー軸を作動、解錠した戸扉を内在者が戸締め施錠し、或いは屋外室外から施錠した戸扉を内在者が解錠することもできる。
【００２２】
不正器具物類をかぎ穴から施解錠室に挿入の際、施解錠口には障害軸及び障害突起と符丁突起で侵入妨害、さらに障害軸・非常防止鍵で戸扉開放を阻止する。
【００２３】
【発明の実施の形態】
図１・２・３に示す立体型鍵錠１の構成は案内軸バネ２の一端を元錠３の左右側面に固結し、ついで中錠４及び掛留金５を案内軸バネ２に挿入連接する。
【００２４】
元錠３右上下面に施錠掛角１３及び左上下面に解錠掛角１４を形成し、側面に角穴１５を貫設し、正面右端平面に段差面１６を形成、角穴１５の右端縁に元錠・カム当軸孔１７を貫設し、左側面に原動バネ穴１８を穿設する。
【００２５】
中錠４左側面上下から案内軸孔１９を貫設、中間にカム当軸穴２０を穿設し、背面左端面に段差面１６と重なる段差面２１を成型し、正面側に押出ピン２２を付設、案内軸孔１９で案内軸バネ２に挿入し、ついでカム当軸２３を挿入する。
【００２６】
図３・４に示すカム当盤２５を角穴１５内に配置し、伸縮バネ２６を挿入したカム当軸２３の右端から中錠・カム当軸穴２０に挿入し中錠４に連結、ついで、左端から元錠・カム当軸孔１７に貫入、角穴１５内のカム当盤２５に連接する。
【００２７】
図４・５に示す掛留金５右端を摺動先端２７にし、正面側をかんぬき溝２８に形成、左側面上下に案内軸バネ穴２９を穿設、同バネ穴２９に案内軸バネ２外形同等内径にしたガイドパイプ２４をかん入、案内軸バネ穴２９に伸縮バネ２６を装入、ガイドパイプ２４で案内軸バネ２に挿入、ガイドパイプ２４外径同等内径の中錠・案内軸孔１９を貫通し中錠４左端に突出し、元錠３・中錠４・掛留金５を連接し各々所定間隔幅にし、元錠３を丸筒掛止爪６・制動孔７に貫入する。
【００２８】
図５・６・７に示す丸筒掛止爪６は複数の丸筒を重合、左端は施解錠口３０に右端を段階状せり出し上下一対をリングバネ３１で連結、筒中腹を横軸に制動孔７を貫設、最上段及び最下段丸筒・制動孔７左上下端縁を解掛止爪７０に、二・三段目丸筒・制動孔７右上下端縁を掛止爪３２にし、又施解錠口３０内両端縁の最上段右及び最下段左を解錠設定爪３３に、二段目左及び三段目右を施錠設定爪３４にし、さらに最上段及び三段目丸筒は右微回動し、二段目及び最下段丸筒は左微回動に可動、制動孔７に挿入した元錠３右上下施錠掛角１３に掛止爪３２、元錠３左上下解錠掛角１４には解掛止爪７０を各々係合、リングバネ３１は複数重合丸筒上下を相合に引き合うようにし、次いで手動レバー軸３５を装着する。
【００２９】
図４・５・６に示す手動レバー軸３５は、丸筒掛止爪６内にあらかじめ装入し左丸太軸３６と右丸太軸３７の真中に元錠３を挟持し丸筒掛止爪６の芯軸にし、右丸太軸３７側から手動レバー軸３５を装入、軸左端を基板軸受３８で支持し、右端に手動レバー１２を付着、ついで元錠・角穴１５内のレバーカム３９を先に配置したカム当盤２５に係合、レバーカム３９上面と角穴１５内縁との間にカムバネ４０を挿入、左丸太軸３６は装着溝４１で基板軸受３８にはめこみ不動に、また左丸太軸３６下端に後述する障害軸孔４２を貫設し障害軸４３を装入する。
【００３０】
図３・５・６に示すようにかんぬき盤８は掛留金５・かんぬき溝２８に装入、正面側左右両端を凹形台座状の拡張バネ溝４４に形成、右端をかんぬき盤８にし左端に連動かん９を支点芯軸４５で付着、折り込んだ連動元端４６を拡張バネ溝４４に装入した拡張バネ４７で抑圧し連動先端４８を持上げ丸筒掛止爪６・制動孔７に挿入すると共に押込掛角４９を押出ピン２２と係合、また拡張バネ４７の他端を器械カバー５０に当接、その伸張力でかんぬき盤８を左方向え突っぱる。
【００３１】
図８に示す左丸太軸３６の下端に障害軸孔４２を貫設し、障害軸４３を装入、障害軸孔４２同一軸心の元錠３下端の機軸穴５１に非常防止鍵５２を装入する。
【００３２】
障害軸４３は障害軸頭５３下側を円滑面に右端を障害丸軸５４にし、障害軸孔４２に伸縮バネ２６を挿入、障害軸４３を障害丸軸５４から障害軸孔４２に装入し障害軸頭５３を突出、又非常防止鍵５２も機軸穴５１内伸縮バネ２６で機軸穴５１内より障害軸孔４２に進入、障害丸軸５４先端と非常防止鍵５２先端が障害軸孔４２内で衝きあい施解錠機能態勢（ドライブモード）に係り合う。
【００３３】
図８・９・１０に示す基板軸受３８は防護フレーム５５と合体し基板軸受３８に付着する防護板５６縦軸中心に障害突起５７及び案内溝５８・障害軸口５９を防護板５６縦軸中心位置と対面する防護フレーム５５・符丁盤６０縦軸中心位置に符丁突起６１及び案内溝５８を設置し、防護板５６及び符丁盤６０との間隙を施解錠室６２に設定、丸筒掛止爪６・施解錠口３０縦軸中心と施解錠室６２縦軸中心は合致し、後述する立体型鍵１０を装入着し、施解錠機能態勢を設定する。
【００３４】
図１０・１１に示す立体型鍵１０は左側面先端縁に符丁突起６１と雌雄噛合に合致する雄符丁突起６３を、障害軸４３・障害軸頭５３に摺動する導通溝６４を右側面縦軸に沿って刻設、従って、符丁突起６１と雄符丁突起６３及び障害突起５７と導通溝６４は合致形成になり、さらに丸筒掛止爪６・施解錠口３０の解錠設定爪３３及び施錠設定爪３４と係合する双曲縁６５を右先端両縁に形成する。
【００３５】
以上、立体型鍵錠１は構成し、かぎ穴１１を設け開閉アートハンドル６６及び戸扉取付金具６７を付した外装化粧カバー６８を装着し、施錠係合態勢にする。
【００３６】
図４・８・１０に示すように係合設定は施錠機能態勢（ロックモード）を基本にし、原動バネ管６９に伸縮バネ２６を挿入し器械カバー５０左端の所定穴から元錠３・原動バネ穴１８に装入、原動バネ管６９は器械カバー５０に固結、元錠３を右方向側え押圧する常態にしておき、また元錠３・機軸穴５１内非常防止鍵５２を左丸太軸３６・障害軸孔４２に進入状が元錠３施錠態勢所定位置になる。
【００３７】
図３・４に示す丸筒掛止爪６・制動孔７の掛止爪３２及び解掛止爪７０を設定する。最上段及び最下段丸筒・解掛止爪７０を元錠３左上下・解錠掛角１４に、二・三段目丸筒・掛止爪３２を元錠３右上下・施錠掛角１３に各々係り合はす。
【００３８】
上記最上段丸筒・解掛止爪７０は元錠３左上・解錠掛角１４左方に、最下段丸筒・解掛止爪７０は元錠３左下・解錠掛角１４下平面に圧接し、また制動孔７に挿入した連動先端４８には最上段丸筒・制動孔７右側の解掛止爪７０を係合。
【００３９】
図２・６に示す掛留金５・摺動先端２７は器械カバー５０の右端縁外に突出し案内軸バネ２で右方向側極限に圧迫、施錠設定の際は、かんぬき盤８が掛留金５・摺動先端２７に並列付着不動にし、戸扉外枠７１・掛留穴７２との直接摺動を遮断（カバーする）し極先端余裕は解錠の際に自由動作（フリー遊び）をする。
【００４０】
図３・４に示すように中錠４の施錠態勢は、押出ピン２２と連動かん９・押込掛角４９との係合及び元錠３・角穴１５内手動レバー軸３５・レバーカム３９とカム当盤２５・カム当軸２３・中錠４の従動係合が施錠又は施錠態勢になる。
【００４１】
なお、元錠３・中錠４・掛留金５の各間隔合計幅は、掛留金５の片道行程幅に同等、掛留金５と中錠４の間隔は遊び幅、中錠４と元錠３は施解錠行程である。
【００４２】
【実施例】
図２・３に示す施錠態勢の立体型鍵錠１本体を戸扉所定位置に設置のうえ閉じめし掛留金５・摺動先端２７を戸扉外枠７１・掛留穴７２に引つ掛けておく。
【００４３】
図１０・１２・１３に示す屋外或いは室外から立体型鍵１０を外装化粧カバー６８・かぎ穴１１から施解錠室６２に挿入、障害軸頭５３を符丁盤６０に当着し施解錠室６２を閉塞する障害軸４３・障害軸頭５３に導通溝６４先端が当接し、障害軸４３を押し除け通行する、障害軸４３は導通溝６４深浅形状に従って一旦障害軸孔４２内の非常防止鍵５２を機軸穴５１に押し戻し障害丸軸５４も機軸穴５１内に進入後に復帰し、導通溝６４の最深所定位置に障害軸４３が定置する。
【００４４】
図１２に示す、上記障害軸４３・障害丸軸５４先端と非常防止鍵５２先端との接触面は元錠３側縁と左丸太軸３６側縁の境界面と一致し元錠３は可動となる。
【００４５】
図１３に示す立体型鍵１０・導通溝６４は丸筒掛止爪６・施解錠口３０に進入直前に案内溝５８及び障害突起５７と合致し通過、符丁盤６０・符丁突起６１と立体型鍵１０・雄符丁突起６３とも合致し施解錠口３０に挿入し装着する。
【００４６】
図１４・１５に示すように施解錠口３０の立体型鍵１０・双曲縁６５を解錠設定爪３３及び施錠設定爪３４に係合押圧、二段目丸筒施錠設定爪３４を左微回動し掛止爪３２を元錠３上右施錠掛角１３から、三段目丸筒施錠設定爪３４は右微回動し掛止爪３２を元錠３下右施錠掛角１３から各離脱、最上段丸筒解錠設定爪３３は右微回動し解掛止爪７０を元錠３上左解錠掛角１４左から離脱、同時に制動孔７に挿入する連動先端４８を解掛止爪７０で押下げ押出ピン２２と押込掛角４９の係合解除するが、最下段丸筒解錠設定爪３３に双曲縁６５は係合しない。
【００４７】
図１５・１６に示す押出ピン２２と押込掛角４９との係合解除で、掛留金５を遮蔽する連動かん９・かんぬき盤８は左方向側え作動し掛留金５は可動になる。
【００４８】
図１５・１６に示すように立体型鍵１０を装着し解錠した戸扉を開放すれば、掛留金５・摺動先端２７は戸扉外枠７１・掛留穴７２を滑動飛越え一旦左方向え押し込まれ、戸扉開放直後に再び元位置に突出する。この際の極短時間往復行程動作が動力になり、立体型鍵錠１本体の構成要素が作動する。
【００４９】
図１６・１７に示すように掛留金５は左方向え作動し、先ず掛留金５左端面を中錠４右端面に当接すると同時にガイドパイプ２４右端を元錠３右端面に当接し元錠３・中錠４の連接間隔を所定間隔幅に保持しながら左方向側え作動する。
【００５０】
図１５・１６・１７に示すように掛留金５の作動片道行程幅を１０とすれば、掛留金５をかんぬき盤８の遮蔽幅は６、摺動先端２７の極端遊び幅は４となる。
【００５１】
図１８・１９に示すように元錠３・中錠４の左方向側に到達した際、中錠４・押出ピン２２と連動かん９・押込掛角４９が再度係り合いすると共に、中錠４・カム当軸２３・カム当盤２５の元錠３・角穴１５内で係合するレバーカム３９を左方向側に作動し手動レバー軸３５・手動レバー１２の縦軸のむきを移動する。
【００５２】
図１８に示すように元錠３・中錠４の左方向側極端に到達した際、元錠３下左解錠掛角１４平面に圧接する最下段丸筒解錠設定爪３３・解掛止爪７０がはまり込み係合、元錠３・原動バネ穴１８に装入する原動バネ管６９の右方向側押圧解による反転を留どめ、又最下段丸筒解錠設定爪３３は施解錠口３０に突出する。
【００５３】
図１４に示すように施解錠口３０に突出する最下段丸筒解錠設定爪３３は施錠中は施解錠口３０に他の丸筒解錠設定爪と同等突出せず控えめに定置、施錠の際は立体型鍵１０と係合しないようにし、施錠の際に立体型鍵１０・双曲縁６５と二段階に係合するように設定し、施錠時は元錠３下解錠掛角１４と解掛止爪７０は係合解錠する。（前項の続き、戸扉開放後次いで立体型鍵１０を引き抜く。）
【００５４】
図１７は開扉で掛留金５及び元錠３・中錠４の左方向作動で図１８に示す押出ピン２２に連動かん９・押込掛角４９が再係合し元錠３左下・解錠掛角１４に最下段丸筒・解掛止爪７０が係合し元錠３・中錠４を掛け留め、掛留金５は独自に元位置に復帰、図１８・１９は元錠３右上下・施錠掛角１３平面が二・三段目丸筒・掛止爪３２先端を受け、最上段丸筒・解掛止爪７０右方の元錠３上左・解錠掛角１４は左方移動し、図２０で立体型鍵１０を引抜けば元錠３上左・解錠掛角１４に解掛止爪７０が係合し元錠３・中錠４を拘束し掛留金５を自由動にする。
【００５５】
図２１に示す内在者が外出する際、解錠戸扉を屋外または室外から施錠する。立体型鍵１０をかぎ穴１１から挿入し施解錠口３０に装入係合すれば最上段丸筒・解錠設定爪３３・解掛止爪７０が元錠３上左・解錠掛角１４から、二・三段目丸筒・施錠設定爪３４・掛止爪３２は元錠３右上下・解錠掛角１３を離脱する。
【００５６】
図２１・２２に示すように続いて立体型鍵１０を一層押し込める双曲縁６５の根本が最下段丸筒・解錠設定爪３３・解掛止爪７０を圧迫係合し、元錠３下左・解錠掛角１４から離脱、元錠３・中錠４は解錠拘束を解除し、原動バネ穴１８・原動バネ管６９の右方向側押圧力で元錠３・中錠４は右方向側極限に突出する。
【００５７】
図２２・２３に示す元錠３・中錠４の突出により元錠３右上下・施錠掛角１３は掛止爪３２の真下係合位置に、元錠３上左・解錠掛角１４は解掛止爪７０右方に位置し、元錠３下左・解錠掛角１４は平面を解掛止爪７０先端位置に各定置、同時に中錠４・押出ピン２２と係合する押込掛角４９で連動かん９・かんぬき盤８も右方向側え作動し掛留金５に並列遮蔽し、掛留金５を戸扉外枠７１・掛留穴７２に掛け留どめ、また元錠３・角穴１５内レバーカム３９に係合するカム当盤２５・カム当軸２３も元位置に復帰、戸締めを確認したうえ立体型鍵１０を引き抜けば、二・三段目丸筒・掛止爪３２は元錠３右上下・施錠掛角１３に係合し、最上段丸筒・解掛止爪７０は元錠３上左・解錠掛角１４左方に、最下段丸筒・解掛止爪７０は元錠３左下・解錠掛角１４平面に当接することにより施錠となる。
【００５８】
図２に示す立体型鍵１０で施錠した立体型鍵錠１を内在者が解錠する場合は、図２４に示すように手動レバー１２を操作し手動レバー軸３５を回動し元錠３・角穴１５内のレバーカム３９に当接するカム当盤２５・カム当軸２３を左方向え作動、連動かん９・かんぬき盤８を伴う中錠４も左方向側え移動、この際元錠３は掛止爪３２で拘束不動に、元錠３・段差面１６に中錠４・段差面２１が重複し元錠３右端と中錠４左端が当接、中錠４右端と掛留金５左端との間隔が拡幅し、かんぬき盤８は掛留金５の遮蔽解除し掛留金５は自由動し戸扉を自在開閉する。
【００５９】
図２０に示す立体型鍵１０で解錠した立体型鍵錠１を内在者が施錠する場合、図２５に示すように手動レバー１２を操作し手動レバー軸３５を回動し元錠３・角穴１５内のレバーカム３９に当接するカム当盤２５・カム当軸２３を右方向え作動し、連動かん９・かんぬき盤８を伴う中錠４も右方向え移動し掛留金５右端との間隔縮小すると共にかんぬき盤８を掛留金５に並列遮蔽し施錠戸閉めする。
【００６０】
図１１に示す立体型鍵１０・雄符丁突起６３と符丁突起６１との合符形状及び障害突起５７・案内溝５８と立体型鍵１０・導通溝６４との内外形状を多種類にわたり設定する事で立体型鍵１０の別途或いは変造立体型鍵の装入を防止する。
【００６１】
図２６は不正器具物類７３の立体型鍵錠１・施解錠室６２に装入の際、障害軸４３及び障害突起５７・符丁突起６１によって施解錠口３０えの装着を妨害し、さらに障害軸４３の不定作動により障害丸軸５４を機軸穴５１に進入或いは非常防止鍵５２を障害軸孔４２に進入、元錠３・中錠４・掛留金５の作動防止する。
【００６２】
図２７に示す障害軸４３先端等損壊せられた場合、障害軸４３が伸縮バネ２６により施解錠室６２の方向側え突出すれば非常防止鍵５２が障害軸孔４２に一層進入し、元錠３・中錠４・掛留金５の左方向側作動を掛け留め解錠阻止をする。
【００６３】
【発明の効果】
立体型鍵錠は特別な製造方法によることなく量産的でコスト低減に適応する。
【００６４】
立体型鍵錠は機能にかんぬき機構を付加し戸締まりに単独で供用できる。
【００６５】
立体型鍵錠はかぎ穴が下面方向に位置し不正施解錠行動に制約を与える。
【００６６】
立体型鍵は不正器具物模倣複製を容易にできない。又、不正器具物類の使用を障害軸・符丁突起・障害突起で、さらに非常防止鍵で解錠戸扉開放を阻止する。
【図面の簡単な説明】
【図１】立面図
立体型鍵錠本体の一部省略切断要部縦断全体斜視図である。
【図２】立面図
立体型鍵錠の戸扉設置及び立体型鍵の装着方向を示す実施例図である。
【図３】正面図
立体型鍵錠本体の図６Ａ−Ａ線に沿う施錠状態を示す要部縦断基本構成図。
【図４】正面図
立体型鍵錠本体の図３に基ずく施錠状態を示す要部分基本構成図である。
【図５】正面図
立体型鍵錠本体の図３Ｂ−Ｂ線に沿う一部省略要部縦断図である。
【図６】平面図
立体型鍵錠本体の要部縦断全上面基本構成図である。
【図７】立面図
立体型鍵錠本体の図１に基ずく背面側全体斜視図である。
【図８】右側面図
立体型鍵錠本体の図６Ｃ−Ｃ線に沿う一部省略要部切断構成図である。
【図９】立面図
立体型鍵錠本体の図１に基ずく一部省略要部切断全体斜視図である。
【図１０】右側面図
立体型鍵錠本体の一部省略要部切断基本構成図である。
【図１１】三面図
立体型鍵の左側面・正面（背面は対象）・平面・右側面の外形図である。
【図１２】平面図
立体型鍵錠本体の図６に基ずく一部省略要部切断基本構成図である。
【図１３】右側面図
立体型鍵錠本体の図８に基ずく立体型鍵の装着を示す実施例図である。
【図１４】正面図
立体型鍵錠本体の施錠基本構成の図３に基ずく施錠状態実施例図である。
【図１５乃至２０】正面図
立体型鍵錠の図１４施錠状態に立体型鍵を装着し解錠作動する連続実施例図。
【図２１乃至２２】正面図
立体型鍵錠の解錠した図２０に立体型鍵を装着し施錠作動の連続実施例図。
【図２３】正面図
立体型鍵錠本体の図２１・２２の屋室外より施錠作動に続く施錠実施例図。
【図２４】正面図
立体型鍵錠の図２・２３施錠を内在者が手動レバー操作で解錠する実施例図。
【図２５】正面図
立体型鍵錠の図２０解錠を内在者が手動レバー操作により施錠する実施例図。
【図２６】右側面図
立体型鍵錠の図８に基ずく不正器具物類の進入を防止する実施例図である。
【図２７】右側面図
立体型鍵錠の図８に基ずく不正器具物類の進入を防止する実施例図である。
【符号の説明】
１  立体型鍵錠
２  案内軸バネ
３  元錠
４  中錠
５  掛留金
６  丸筒掛止爪
７  制動孔
８  かんぬき盤
９  連動かん
１０  立体型鍵
１１  かぎ穴
１２  手動レバー
１３  施錠掛角
１４  解錠掛角
１５  角穴
１６・２１  段差面
１７  カム当軸孔
１８  原動バネ穴
１９  案内軸孔
２０  カム当軸穴
２２  押出ピン
２３  カム当軸
２４  ガイドパイプ
２５  カム当盤
２６  伸縮バネ
２７  摺動先端
２８  かんぬき溝
２９  案内軸バネ穴
３０  施解錠口
３１  リングバネ
３２  掛止爪
３３  解錠設定爪
３４  施錠設定爪
３５  手動レバー軸
３６  左丸太軸
３７  右丸太軸
３８  基板軸受
３９  レバーカム
４０  カムバネ
４１  装着溝
４２  障害軸孔
４３  障害軸
４４  拡張バネ溝
４５  支点芯軸
４６  連動元端
４７  拡張バネ
４８  連動先端
４９  押込掛角
５０  器械カバー
５１  機軸穴
５２  非常防止鍵
５３  障害軸頭
５４  障害丸軸
５５  防護フレーム
５６  防護板
５７  障害突起
５８  案内溝
５９  障害軸口
６０  符丁盤
６１  符丁突起
６２  施解錠室
６３  雄符丁突起
６４  導通溝
６５  双曲縁
６６  開閉アートハンドル
６７  戸扉取付金具
６８  外装化粧カバー
６９  原動バネ管
７０  解掛止爪
７１  戸扉外枠
７２  掛留穴
７３  不正器具物類


【手続補正２】
【補正対象書類名】図面
【補正対象項目名】全図
【補正方法】変更
【補正の内容】
【図１】
2004169534.tif 000030
【図２】
2004169534.tif 000031
【図３】
2004169534.tif 000032
【図４】
2004169534.tif 000033
【図５】
2004169534.tif 000034
【図６】
2004169534.tif 000035
【図７】
2004169534.tif 000036
【図８】
2004169534.tif 000037
【図９】
2004169534.tif 000038
【図１０】
2004169534.tif 000039
【図１１】
2004169534.tif 000040
【図１２】
2004169534.tif 000041
【図１３】
2004169534.tif 000042
【図１４】
2004169534.tif 000043
【図１５】
2004169534.tif 000044
【図１６】
2004169534.tif 000045
【図１７】
2004169534.tif 000046
【図１８】
2004169534.tif 000047
【図１９】
2004169534.tif 000048
【図２０】
2004169534.tif 000049
【図２１】
2004169534.tif 000050
【図２２】
2004169534.tif 000051
【図２３】
2004169534.tif 000052
【図２４】
2004169534.tif 000053
【図２５】
2004169534.tif 000054
【図２６】
2004169534.tif 000055
【図２７】
2004169534.tif 000056
【手続補正書】
【提出日】平成15年6月27日(2003.6.27)
【手続補正１】
【補正対象書類名】明細書
【補正対象項目名】全文
【補正方法】変更
【補正の内容】
【特許請求の範囲】
【請求項１】元錠（３）に付す案内軸バネ（２）に中錠（４）の案内軸孔（１９）で挿入し元錠（３）と連接し、元錠（３）・角穴（１５）内にカム当盤（２５）を配置、伸縮バネ（２６）を挿入したカム当軸（２３）右先端から中錠（４）・カム当軸穴（２０）に装着、左先端を元錠（３）・カム当軸孔（１７）に貫入し角穴（１５）内カム当盤（２５）に固結、ついで掛留金（５）・案内軸バネ穴（２９）にガイドパイプ（２４）をかん入固着し、掛留金（５）、案内軸バネ穴（２９）に伸縮バネ（２６）を挿入のうえ、ガイドパイプ（２４）を案内軸バネ（２）に挿入さらに中錠（４）・案内軸孔（１９）を貫設、ガイドパイプ（２４）左端を中錠（４）左端に突出、元錠（３）・中錠（４）・掛留金（５）を連接し各間を所定幅にし、ついで複数の丸筒を重複し左端を施解錠口（３０）に、右端を繰出し上下一対をリングバネ（３１）で連結した丸筒掛止爪（６）、同爪（６）の中腹に制動孔（７）を貫設し、元錠（３）を制動孔（７）に貫入、丸筒掛止爪（６）内にあらかじめ装入した左丸太軸（３６）と右丸太軸（３７）の間隙に元錠（３）を挟持し、叉左丸太軸（３６）及び右丸太軸（３７）は丸筒掛止爪（６）の芯軸に、右丸太軸（３７）側から手動レバ−軸（３５）を挿入、軸左端を基板軸受（３８）で支持し右端に手動レバ−（１２）を付着し、元錠・角穴（１５）内のレバ−カム（３９）をカム当盤（２５）に係合し、レバ−カム（３９）上面と元錠・角穴（１５）の間隙にカムバネ（４０）を挿入、左丸太軸（３６）を装着溝（４１）で基板軸受（３８）に装着、左丸太軸（３６）下端の障害軸孔（４２）に障害軸（４３）を装入、叉元錠（３）下端の機軸穴（５１）に非常防止鍵（５２）を装入し、障害軸孔（４２）内で障害丸軸（５４）先端と非常防止鍵（５２）先端が当接し、次いで丸筒掛止爪（６）の施解錠口（３０）両端縁を所定位置に突出し、最上段右端及び最下段左端を解錠設定爪（３３）に二段目左端及び三段目右端を施錠設定爪（３４）にし、叉制動孔（７）の最上段上左側縁及び上右側縁を解掛止爪（７０）、最下段下左側縁を解掛止爪（７０）にし二段目上右側縁及び三段目下右側縁を掛止爪（３２）にしたうえ最上段及び三段目丸筒は右微回動し、二段目及び最下段丸筒は左微回動し、最上段丸筒・解掛止爪（７０）は元錠（３）左上解錠掛角（１４）に係合、最下段丸筒・解掛止爪（７０）は元錠（３）左下解錠掛角（１４）に係合、二・三段目丸筒・掛止爪（３２）を元錠（３）右上下・施錠掛角（１３）に各々係合、さらにかんぬき盤（８）をかんぬき溝（２８）に装入し掛留金・摺動先端（２７）を遮蔽するかんぬき盤（８）の支点芯軸（４５）で付着する連動かん（９）・連動元端（４６）を拡張バネ溝（４４）の拡張バネ（４７）で抑圧し、連動先端（４８）を丸筒掛止爪（６）・制動孔（７）右側最上段丸筒・解掛止爪（７０）に挿入係合すると共に押込掛角（４９）を中錠（４）・押出ピン（２２）と係合する立体型鍵錠。
【請求項２】立体型鍵錠（１）に組み込んだ基板軸受（３８）に付着する防護板（５６）に障害突起（５７）及び案内溝（５８）及び障害軸口（５９）を配設し防護板（５６）と対面する防護フレ−ム（５５）・符丁盤（６０）の間隙を施解錠室（６２）にし符丁盤（６０）に符丁突起（６１）及び案内溝（５８）を配設した立体型鍵錠。
【請求項３】立体型鍵（１０）上左側面縁に符丁突起（６１）と合符する雄符丁突起（６３）及び上右側面縦軸に沿って導通溝（６４）を刻設さらに上右両側端縁に丸筒掛止爪（６）・施解錠口（３０）・解錠設定爪（３３）及び施錠設定爪（３４）と係合する双曲縁（６５）を形成した立体型鍵。
【発明の詳細な説明】
【０００１】
【発明の属する技術分野】
本発明は建物及び部屋の出入口に取り付ける戸扉に設置する施錠装置である。
【０００２】
【従来の技術】
建物及び部屋の出入口に戸扉を取り付け、居住者以外の他者の入出を塞ぐ為の戸扉に設置する通常丸ハンドル平型鍵錠は、丸ハンドル円形正面中心にかぎ穴があり戸閉の際、かぎ穴に平型鍵を装入し丸ハンドル本体内部に組込む掛留金作動機構を平型鍵で操作し掛留金を作動、戸扉を蝶番で片持ちし出入口の周縁に固結した外枠材の掛留穴に掛留金を引っ掛け戸締まり不動（施錠）にし、かぎ穴から平型鍵を引き抜く、次ぎに施錠戸扉の開扉（解錠）は、先に丸ハンドルかぎ穴に挿入したのと同一平型鍵をかぎ穴に挿入し、掛留金作動機構を操作、戸扉外枠に引っ掛けた掛留金を引っ込め掛留金作動機構内に納め戸扉自由開閉にし、かぎ穴から平型鍵を引き抜き、また、厳重戸締まりにかんぬきを併用することもある。
【０００３】
【発明が解決しようとする課題】
平型鍵錠は多種類あるが平型鍵と鍵錠本体は二個一対で基本的構造・機能及び取扱いは同様で、一種類の平型鍵で施錠解錠できる鍵錠本体は一対に組合はした鍵錠本体に限定、ところが真正平型鍵の模倣複製をつくり、他者による異状解錠開扉が行はれることもあり、また、かぎ穴の設置が前方空間がひろい戸扉正面側水平方向軸に位置し人物が直立自然姿勢で平型鍵を挿入できるために真正平型鍵による施錠開扉以外に不正器具物類による異状解錠戸扉開放もあり得る。
【０００４】
本発明は平型鍵にかえ固形立体型鍵を精密精巧と成し容易な模倣複製を防止、また掛留金にかんぬき効果部材を付加、さらに下面方向から立体型鍵を挿入するようにかぎ穴位置を手狭になる丸ハンドル下部側垂直方向軸に設定し、かぎ穴の直視及び不正器具物類の挿入を仕難くし異状解錠戸扉開放防止の目的を果たす。
【０００５】
【課題を解決するための手段】
立体型鍵錠本体はバネと軸を組んだ案内軸バネで元錠・中錠・掛留金を連接、元錠を丸筒掛止爪の制動孔に挿入、中錠は元錠と連動および独自の作動をする。
【０００６】
掛留金はかんぬき盤を並列付着し、元錠及び中錠の施解錠作動で動作をする。
【０００７】
かんぬき盤はかんぬき効果を発揮し、一端に連動かんを支点芯軸で付着する。
【０００８】
連動かんは連動元端を拡張バネで抑圧し支点芯軸を支点に連動先端を持ち上げ押込掛角を中錠・押出ピンと係合し連動先端を丸筒掛止爪・制動孔に挿入する。
【０００９】
丸筒掛止爪は丸筒を重合、左端を施解錠口に、右端を階段状上下一対をリングバネで連結し作動復元力にし、中腹胴の制動孔・掛止爪を元錠及び連動かんに係り合はし、立体型鍵錠本体を施錠解錠機能態勢（ドライブモ−ド）に設定する。
【００１０】
手動レバ−軸は、元錠を左丸太軸と右丸太軸の真中に挟持し丸筒掛止爪の芯軸にする右丸太軸から挿入し左端を基板軸受で支持し右端に手動レバ−を付着。
【００１１】
手動レバ−軸が貫通する元錠・角穴内のレバ−カムにカム当軸のカム当盤を係り合はし、カム当軸は元錠・角穴右端縁を縦貫し中錠に連動、また、レバ−カム上面と元錠・角穴の内縁にカムバネを挟み込み動作を抑制し反発弾みを付ける。
【００１２】
左丸太軸は基板軸受にはめ込み、下端縁の障害軸孔に障害軸を挿入している。
【００１３】
障害軸は伸縮バネにより障害軸孔内で左右移動し障害軸頭を孔外に突き出す。
【００１４】
障害軸と同軸心の元錠下端の機軸穴に非常防止鍵（ストッパ−）を内臓する。
【００１５】
非常防止鍵は障害軸の異状動作及び破損状態に即応し解錠を厳重に阻止する。
【００１６】
基板軸受は障害突起及び案内溝・障害軸口を設けた防護板を付着し、防護板と防護フレ−ム・符丁盤との間隙に立体型鍵を装入する施解錠室を設定する。
【００１７】
防護フレ−ム・符丁盤は符丁突起及び案内溝を設け防護板と対面対象にする。
【００１８】
防護フレ−ムに組込んだ立体型鍵錠本体に器械カバ−を被せ、さらにかぎ穴を設け開閉ア−トハンドル及び戸扉取付金具を付した外装化粧カバ−を装着する。
【００１９】
別体の立体型鍵は符丁盤の符丁突起に合致する雄符丁突起及び障害軸を所定の動作に行はす導通溝・丸筒掛止爪・障害軸口に挿入係合する双曲縁に形成する。
【００２０】
以上、手段を講じた立体型鍵錠を戸扉所定位置に付設、立体型鍵をかぎ穴から施解錠室に挿入、ついで施解錠口に装着し施解錠態勢を設定し戸扉開閉を行う。
【００２１】
また、手動レバ−を操作し手動レバ−軸を作動、解錠した戸扉を内在者が戸締め施錠し、或いは屋外室外から施錠した戸扉を内在者が解錠することもできる。
【００２２】
不正器具物類をかぎ穴から施解錠室に挿入の際、施解錠口には障害軸及び障害突起と符丁突起で侵入妨害、さらに障害軸・非常防止鍵で戸扉開放を阻止する。
【００２３】
【発明の実施の形態】
図１・３・４に示す立体型鍵錠１の構成は複数の案内軸バネ２の一端を元錠３右側面上下に固結、ついで中錠４及び掛留金５を案内軸バネ２に挿入連接する。
【００２４】
元錠３右上下平面に施錠掛角１３及び左上下平面に解錠掛角１４を形成、側面に角穴１５を貫設、正面右垂直面に段差面１６を形成、角穴１５右端縁から元錠３右側面にカム当軸孔１７を貫設し、左側面に原動バネ穴１８を穿設する。
【００２５】
中錠４左側面上下から案内軸孔１９を貫設、中間にカム当軸穴２０を穿設し、背面左垂直面に段差面１６と重なる段差面２１を成型、正面側に押出ピン２２を付設、伸縮バネ２６を挿入したカム当軸２３右端をカム当軸穴２０に挿入連接。
【００２６】
図３・４に示すカム当盤２５を角穴１５内に配置し、案内軸孔１９で中錠４を案内軸バネ２に挿入すると共に、カム当軸２３左端を元錠３・カム当軸孔１７に貫入し、角穴１５内のカム当盤２５に当着固結する。
【００２７】
図４・５に示す掛留金５右端を摺動先端２７にし、正面側をかんぬき溝２８に形成、左側面上下に案内軸バネ穴２９を穿設、同バネ穴２９に案内軸バネ２外形同等内径にしたガイドパイプ２４をかん入、案内軸バネ穴２９に伸縮バネ２６を挿入、ガイドパイプ２４で案内軸バネ２に挿入、ガイドパイプ２４外径同等内径の中錠・案内軸孔１９を貫通し中錠４左端に突出し、元錠３・中錠４・掛留金５を連接し各々所定間隔幅にし、元錠３を丸筒掛止爪６・制動孔７に貫入する。
【００２８】
図５・６・７に示す丸筒掛止爪６は複数の丸筒を重合、左端は施解錠口３０に右端を階段状くり出し上下一対をリングバネ３１で連結、筒中腹を横軸に制動孔７を貫設、最上段及び最下段丸筒・制動孔７左上下端縁を解掛止爪７０に、二・三段目丸筒・制動孔７右上下端縁を掛止爪３２にし、叉施解錠口３０内両端縁の最上段右及び最下段左を解錠設定爪３３に、二段目及び三段目右を施錠設定爪３４にし、さらに最上段及び三段目丸筒は右微回動し、二段目及び最下段丸筒は左微回動に可動、制動孔７に挿入した元錠３右上下施錠掛角１３に掛止爪３２を元錠３左上下解錠掛角１４には解掛止爪７０を各々係合、リングバネ３１は複数重合丸筒上下を相互に引き合うようにし、次いで手動レバ−軸３５を装着する。
【００２９】
図４・５・６に示す手動レバ−軸３５は、あらかじめ丸筒掛止爪６空胴内にて元錠３を左丸太軸３６と右丸太軸３７の間隙に挟持、叉丸筒掛止爪６の芯軸に、右丸太軸３７側から手動レバ−軸３５を装入し軸左端を基板軸受３８で支持し、右端に手動レバ−１２を付着、ついで元錠・角穴１５内のレバ−カム３９を先に配置したカム当盤２５に係合、レバ−カム３９上面と角穴１５内縁との間にカムバネ４０を挿入、左丸太軸３６は装着溝４１で基板軸受３８にはめ込み不動に、また左丸太軸３６下端に後述する障害軸孔４２を貫設し障害軸４３を装入する。
【００３０】
図３・５・６に示すようにかんぬき盤８は掛留金５・かんぬき溝２８に装入、正面側左右両端を凹形台座状の拡張バネ溝４４に形成、右端をかんぬき盤８にし左端に連動かん９を支点芯軸４５で付着、折り込んだ連動元端４６を拡張バネ溝４４に装入した拡張バネ４７で抑圧し連動先端４８を持上げ丸筒掛止爪６・制動孔７に挿入すると共に押込掛角４９を押出ピン２２と係合、また拡張バネ４７の他端を器械カバ−５０に当接、その伸張力でかんぬき盤８を左方向え突っぱる。
【００３１】
図８に示す左丸太軸３６の下端に障害軸孔４２を貫設し、障害軸４３を装入、障害軸孔４２同一軸心の元錠３下端の機軸穴５１に非常防止鍵５２を装入する。
【００３２】
障害軸４３は障害軸頭５３下側を円滑面に右端を障害丸軸５４にし、障害軸孔４２に伸縮バネ２６を挿入、障害軸４３を障害丸軸５４から障害軸孔４２に装入し障害軸頭５３を突出、叉非常防止鍵５２も機軸穴５１内伸縮バネ２６で機軸穴５１内より障害軸孔４２に進入、障害丸軸５４先端と非常防止鍵５２先端が障害軸孔４２内で衝きあい施解錠機能態勢（ドライブモ−ド）に係り合う。
【００３３】
図８・９・１０に示す基板軸受３８は防護フレ−ム５５と合体し基板軸受３８に付着する防護板５６縦軸中心に障害突起５７及び案内溝５８・障害軸口５９を防護板５６縦軸中心位置と対面する防護フレ−ム５５・符丁盤６０縦軸中心位置に符丁突起６１及び案内溝５８を設置し、防護板５６及び符丁盤６０との間隙を施解錠室６２に設定、丸筒掛止爪６・施解錠口３０縦軸中心と施解錠室６２縦軸中心は合致し、後述する立体型鍵１０を装入着し、施解錠機能態勢を設定する。
【００３４】
図１０・１１に示す立体型鍵１０は左側面先端縁に符丁突起６１と雌雄噛合に合致する雄符丁突起６３を、障害軸４３・障害軸頭５３に摺動する導通溝６４を右側面縦軸に沿って刻設、従って、符丁突起６１と雄符丁突起６３及び障害突起５７と導通溝６４は合致形成になり、さらに丸筒掛止爪６・施解錠口３０の解錠設定爪３３及び施錠設定爪３４と係合する双曲縁６５を右先端両縁に形成する。
【００３５】
以上、立体型鍵錠１は構成し、かぎ穴１１を設け開閉ア−トハンドル６６及び戸扉取付金具６７を付した外装化粧カバ−６８を装着し、施錠係合態勢にする。
【００３６】
図４・８・１０に示すように係合設定は施錠機能態勢（ロックモ−ド）を基本にし、原動バネ管６９に伸縮バネ２６を挿入し器械カバ−５０左端の所定穴から元錠３・原動バネ穴１８に装入、原動バネ管６９は器械カバ−５０に固結、元錠３を右方向側え押圧する常態にしておき、また元錠３・機軸穴５１内非常防止鍵５２を左丸太軸３６・障害軸孔４２に進入状が元錠３施錠態勢所定位置になる。
【００３７】
図３・４に示す丸筒掛止爪６・制動孔７の掛止爪３２及び解掛止爪７０を設定する。最上段及び最下段丸筒・解掛止爪７０を元錠３左上下・解錠掛角１４に、二・三段目丸筒・掛止爪３２を元錠３右上下・施錠掛角１３に各々係り合はす。
【００３８】
上記最上段丸筒・解掛止爪７０は元錠３左上・解錠掛角１４左方に、最下段丸筒・解掛止爪７０は元錠３左下・解錠掛角１４下平面に圧接し、また制動孔７に挿入した連動先端４８には最上段丸筒・制動孔７右側の解掛止爪７０を係合。
【００３９】
図２・６に示す掛留金５・摺動先端２７は器械カバ−５０の右端縁外に突出し案内軸バネ２で右方向側極限に圧迫、施錠設定の際は、かんぬき盤８が掛留金５・摺動先端２７に並列付着不動にし、戸扉外枠７１・掛留穴７２との直接摺動を遮蔽（カバ−する）し極先極余裕は解錠の際に自由動作（フリ−遊び）をする。
【００４０】
図３・４に示すように中錠４の施錠態勢は、押出ピン２２と連動かん９・押込掛角４９との係合及び元錠３・角穴１５内手動レバ−軸３５・レバ−カム３９とカム当盤２５・カム当軸２３・中錠４の従動係合が施錠叉は解錠態勢になる。
【００４１】
なお、元錠３・中錠４・掛留金５の各間隔合計幅は、掛留金５の片道行程幅に同等、掛留金５と中錠４の間隔は遊び幅、中錠４と元錠３の間隔は施解錠行程。
【００４２】
【実施例】
図２・３に示す施錠態勢の立体型鍵錠１本体を戸扉所定位置に設置のうえ戸閉めし掛留金５・摺動先端２７を戸扉外枠７１・掛留穴７２に引っ掛けておく。
【００４３】
図１０・１２・１３に示す屋外或いは室外から立体型鍵１０を外装化粧カバ−６８・かぎ穴１１から施解錠室６２に挿入、障害軸頭５３を符丁盤６０に当着し施解錠室６２を閉塞する障害軸４３・障害軸頭５３に導通溝６４先端が当接し、障害軸４３を押し除け通行する、障害軸４３は導通溝６４深浅形状に従って一旦障害軸孔４２内の非常防止鍵５２を機軸穴５１に押し戻し障害丸軸５４も機軸穴５１内に進入後に復帰し、導通溝６４の最深所定位置に障害軸４３が定置する。
【００４４】
図１２に示す、上記障害軸４３・障害丸軸５４先端と非常防止鍵５２先端との接触面は元錠３側縁と左丸太軸３６側縁の境界面と一致し元錠３は可動となる。
【００４５】
図１３に示す立体型鍵１０・導通溝６４は丸筒掛止爪６・施解錠口３０に進入直前に案内溝５８及び障害突起５７と合致し通過、符丁盤６０・符丁突起６１と立体型鍵１０・雄符丁突起６３とも合致し施解錠口３０に挿入し装着する。
【００４６】
図１４・１５に示すように施解錠口３０の立体型鍵１０・双曲縁６５を解錠設定爪３３及び施錠設定爪３４に係合押圧、二段目丸筒施錠設定爪３４を左微回動し掛止爪３２を元錠３上右施錠掛角１３から、三段目丸筒施錠設定爪３４は右微回動し掛止爪３２を元錠３下右施錠掛角１３から各離脱、最上段丸筒解錠設定爪３３は右微回動し解掛止爪７０を元錠３上左解錠掛角１４左から離脱、同時に制動孔７に挿入する連動先端４８を解掛止爪７０で押下げ押出ピン２２と押込掛角４９の係合解除するが、最下段丸筒解錠設定爪３３に双曲縁６５は係合しない。
【００４７】
図１５・１６に示す押出ピン２２と押込掛角４９との係合解除で、掛留金５を遮蔽する連動かん９・かんぬき盤８は左方向側え作動し掛留金５は可動になる。
【００４８】
図１５・１６に示すように立体型鍵１０を装着し解錠した戸扉を開放すれば、掛留金５・摺動先端２７は戸扉外枠７１・掛留穴７２を滑動飛越え一旦左方向え押し込まれ、戸扉開放直後に再び元位置に突出する。この際の極短時間往復行程動作が動力になり、立体型鍵錠１本体の構成要素が作動する。
【００４９】
図１６・１７に示すように掛留金５は左方向え作動し、先ず掛留金５左端面を中錠４右端面に当接すると同時にガイドパイプ２４左端も元錠３右端面に当接し元錠３・中錠４の連接間隔を所定間隔幅に保持しながら左方向側え作動する。
【００５０】
図１５・１６・１７に示すように掛留金５の作動片道行程幅を１０とすれば、掛留金５をかんぬき盤８の遮蔽幅は６、摺動先端２７先頭部遊び幅は４となる。
【００５１】
図１８・１９に示すように元錠３・中錠４の左方向側に到達した際、中錠４・押出ピン２２と連動かん９・押込掛角４９が再度係り合いすると共に、中錠４・カム当軸２３・カム当盤２５の元錠３・角穴１５内で係合するレバ−カム３９を左方向側に作動し手動レバ−軸３５・手動レバ−１２の縦軸の向きも移動する。
【００５２】
図１８に示す元錠３・中錠４の左方向側極限に到達の際、元錠３下左解錠掛角１４平面に圧接する最下段丸筒解錠設定爪３３・解掛止爪７０がはまり込み係合し、元錠３・原動バネ穴１８に装入する原動バネ管６９の右方向側押圧力による反転もどりを留どめ、叉最下段丸筒解錠設定爪３３は施解錠口３０に突出する。
【００５３】
図１４及び（【００３８】）に記述したように、上記の最下段丸筒解錠設定爪３３は施錠中は元錠３左下・解錠掛角１４下平面に係り合い、施解錠口３０には他の丸筒解錠設定爪と同等突出せず定置、解錠も立体型鍵１０と係合しないよう設定、元錠・中錠・掛留金の左方向側作動に従って解錠掛角１４に係合し最下段丸筒解錠設定爪３３が施解錠口３０に突出し施錠の際立体型鍵１０と係合する。
【００５４】
図１７は開扉で掛留金５及び元錠３・中錠４の左方向作動で図１８に示す押出ピン２２に連動かん９・押込掛角４９が再係合し元錠３左下・解錠掛角１４に最下段丸筒・解掛止爪７０が係合し元錠３・中錠４を掛け留め、掛留金５は独自に元位置に復帰、図１８・１９は元錠３右上下・施錠掛角１３平面が二・三段目丸筒・掛止爪３２先端を受け、最上段丸筒・解掛止爪７０右方の元錠３上左・解錠掛角１４は左方移動し、図２０で立体型鍵１０を引抜けば元錠３上左・解錠掛角１４に解掛止爪７０が係合し元錠３・中錠４を拘束し掛留金５を自由動にする。
【００５５】
図２１に示す内在者が外出する際、解錠戸扉を屋外または室外から施錠する。立体型鍵１０をかぎ穴１１から挿入し施解錠口３０に装入係合すれば最上段丸筒・解錠設定爪３３・解掛止爪７０が元錠上左・解錠掛角１４から、又二・三段目丸筒・施錠設定爪３４・掛止爪３２は元錠右上下・施錠掛角１３から離脱する。
【００５６】
図２１・２２に示すように続いて立体型鍵１０を一層押込めれば双曲縁６５の根本が最下段丸筒・解錠設定爪３３・解掛止爪７０を圧迫係合し、元錠３下左・解錠掛角１４から離脱、元錠３・中錠４の解錠持続を解除し、原動バネ穴１８・原動バネ管６９の右方向側押圧力で元錠３・中錠４は右方向側極限に突出する。
【００５７】
図２２・２３に示す元錠３・中錠４の突出により元錠３右上下・施錠掛角１３は掛止爪３２の真下係合位置に、元錠３上左・解錠掛角１４は解掛止爪７０右方に位置し、元錠３下左・解錠掛角１４は平面を解掛止爪７０先端位置に各定置、同時に中錠４・押出ピン２２と係合する押込掛角４９で連動かん９・かんぬき盤８も右方向側え作動し掛留金５に並列遮蔽し、掛留金５を戸扉外枠７１・掛留穴７２に掛け留どめ、また元錠３・角穴１５内レバ−カム３９に係合するカム当盤２５・カム当軸２３も元位置に復帰、戸締めを確認したうえ立体型鍵１０を引き抜けば、二・三段目丸筒・掛止爪３２は元錠３右上下・施錠掛角１３に係合し、最上段丸筒・解掛止爪７０は元錠３上左・解錠掛角１４左方に、最下段丸筒・解掛止爪７０は元錠３左下・解錠掛角１４平面に当接することにより施錠となる。
【００５８】
図２に示す立体型鍵１０で施錠した立体型鍵錠１を内在者が解錠する場合は、図２４に示すように手動レバ−１２を操作し手動レバ−軸３５を回動し元錠３・角穴１５内のレバ−カム３９に当接するカム当盤２５・カム当軸２３を左方向え作動、連動かん９・かんぬき盤８を伴う中錠４も左方向側え移動、この際元錠３は掛止爪３２で拘束不動に、元錠３・段差面１６に中錠４・段差面２１が重複し元錠３右端と中錠４左端が当接、中錠４右端と掛留金５左端との間隔が拡幅し、かんぬき盤８は掛留金５の遮蔽解除し掛留金５は自由動し戸扉を自由開閉する。
【００５９】
図２０に示す立体型鍵１０で解錠した立体型鍵錠１を内在者が施錠する場合、図２５に示すように手動レバ−１２を操作し手動レバ−軸３５を回動し元錠３・角穴１５内のレバ−カム３９に当接するカム当盤２５・カム当軸２３を右方向え作動し、連動かん９・かんぬき盤８を伴う中錠４も右方向え移動し掛留金５右端との間隔縮小すると共にかんぬき盤８を掛留金５に並列遮蔽し施錠戸閉めする。
【００６０】
図１１に示す立体型鍵１０・雄符丁突起６３と符丁突起６１との合符形状及び、障害突起５７・案内溝５８と立体型鍵１０・導通溝６４との内外形状を多種類わたり設定する事で立体型鍵１０の別途或いは変造立体型鍵の装入を防止する。
【００６１】
図２６は不正器具物類７３の立体型鍵錠１・施解錠室６２に装入の際、障害軸４３及び障害突起５７・符丁突起６１によって施解錠口３０えの装着を妨害し、さらに障害軸４３の不定作動により障害丸軸５４を機軸穴５１に進入或いは非常防止鍵５２を障害軸孔４２に進入し元錠３・中錠４・掛留金５の作動防止する。
【００６２】
図２７に示す障害軸４３先端等損壊せられた場合、障害軸４３が伸縮バネ２６により施解錠室６２の方向側え突出すれば非常防止鍵５２が障害軸孔４２に一層進入し、元錠３・中錠４・掛留金５の左方向側作動を掛け留め解錠阻止をする。
【００６３】
【発明の効果】
立体型鍵錠は特別な製造方法によることなく量産的でコスト低減に適応する。
【００６４】
立体型鍵錠は機能にかんぬき機構を付加し戸締まりに単独で供用できる。
【００６５】
立体型鍵錠はかぎ穴が下面方向に位置し不正施解錠行動に制約を与える。
【００６６】
立体型鍵は不正器具物模倣複製を容易にできない。又、不正器具物類の使用を障害軸・符丁突起・障害突起で、さらに非常防止鍵で解錠戸扉開放を阻止する。
【図面の簡単な説明】
【図１】立面図  立体型鍵錠の一部省略要部縦断全体斜視図である。
【図２】立面図  立体型鍵錠の戸扉設置及び立体型鍵の装着方向を示す実施例図である。
【図３】正面図  立体型鍵錠の図６Ａ−Ａ線に沿う施錠状態を示す要部縦断基本構成図である。
【図４】正面図  立体型鍵錠の図３に基ずく施錠状態を示す要部分縦断基本構成図である。
【図５】平面図  立体型鍵錠の図３Ｂ−Ｂ線に沿う一部省略要部縦断図である。
【図６】平面図  立体型鍵錠の要部縦断基本構成図である。
【図７】立面図  立体型鍵錠の図１に基ずく背面側全体斜視図である。
【図８】右側面図  立体型鍵錠の図６Ｃ−Ｃ線に沿う一部省略要部切断基本構成図である。
【図９】立面図  立体型鍵錠の図１に基ずく一部省略要部切断全体斜視図。
【図１０】右側面図  立体型鍵錠の一部省略要部切断基本構成図である。
【図１１】三面図  立体型鍵の左側面・正面（背面は対象）・平面・右側面の外形図。
【図１２】平面図  立体型鍵錠の図６に基ずく一部省略要部切断基本構成図。
【図１３】右側面図  立体型鍵錠の図８に基ずく立体型鍵の装着実施例図である。
【図１４】正面図  立体型鍵錠の図３基本構成図に基ずく施錠実施例図である。
【図１５】正面図立体型鍵錠の図１４に屋室外より立体型鍵を装着し解錠作動の実施図。
【図１６】正面図立体型鍵錠の図１５に続く立体型鍵を装着し解錠作動の連続実施例図。
【図１７】正面図立体型鍵錠の図１６に続く立体型鍵を装着し解錠作動の連続実施例図。
【図１８】正面図立体型鍵錠の図１７に続く立体型鍵を装着し解錠作動の連続実施例図。
【図１９】正面図立体型鍵錠の図１８に続く立体型鍵を装着し解錠作動の連続実施例図である。
【図２０】正面図立体型鍵錠の図１９に続く立体型鍵を装着し解錠作動で解錠した実施例図。
【図２１】正面図立体型鍵錠の図２０解錠の屋室外より立体型鍵を装着し施錠作動の実施例図。
【図２２】正面図立体型鍵錠の図２１に続く立体型鍵を装着し施錠作動の連続実施例図である。
【図２３】正面図立体型鍵錠の図２２に続く立体型鍵を装着し施錠作動した施錠実施例図。
【図２４】正面図  立体型鍵錠の図２３施錠を内在者が手動レバ−操作で解錠する解錠実施例図。
【図２５】正面図  立体型鍵錠の図２０解錠を内在者が手動レバ−操作で施錠する施錠実施例図。
【図２６】右側面図  立体型鍵錠の図８に基ずく不正器具物類の装入を防止する実施例図である。
【図２７】右側面図  立体型鍵錠の図８に基ずく不正器具物類の進入を阻止する実施例図である。
【符号の説明】
１  立体型鍵錠
２  案内軸バネ
３  元錠
４  中錠
５  掛留金
６  丸筒掛止爪
７  制動孔
８  かんぬき盤
９  連動かんを
１０  立体型鍵
１１  かぎ穴
１２  手動レバ−
１３  施錠掛角
１４  解錠掛角
１５  角穴
１６  段差面
１７  カム当軸孔
１８  原動バネ穴
１９  案内軸孔
２０  カム当軸穴
２１  段差面
２２  押出ピン
２３  カム当軸
２４  ガイドパイプ
２５  カム当盤
２６  伸縮バネ
２７  摺動先端
２８  かんぬき溝
２９  案内軸バネ穴
３０  施解錠口
３１  リングバネ
３２  掛止爪
３３  解錠設定爪
３４  施錠設定爪
３５  手動レバ−軸
３６  左丸太軸
３７  右丸太軸
３８  基板軸受
３９  レバ−カム
４０  カムバネ
４１  装着溝
４２  障害軸孔
４３  障害軸
４４  拡張バネ溝
４５  支点芯軸
４６  連動元端
４７  拡張バネ
４８  連動先端
４９  押込掛角
５０  器械カバ−
５１  機軸穴
５２  非常防止鍵
５３  障害軸頭
５４  障害丸軸
５５  防護フレ−ム
５６  防護板
５７  障害突起
５８  案内溝
５９  障害軸口
６０  符丁盤
６１  符丁突起
６２  施解錠室
６３  雄符丁突起
６４  導通溝
６５  双曲縁
６６  開閉ア−トハンドル
６７  戸扉取付金具
６８  外装化粧カバ−
６９  原動バネ管
７０  解掛止爪
７１  戸扉外枠
７２  掛留穴
７３  不正器具物類


【手続補正２】
【補正対象書類名】図面
【補正対象項目名】図３
【補正方法】変更
【補正の内容】
【図３】
2004169534.tif 000057
【手続補正３】
【補正対象書類名】図面
【補正対象項目名】図４
【補正方法】変更
【補正の内容】
【図４】
2004169534.tif 000058
【手続補正４】
【補正対象書類名】図面
【補正対象項目名】図５
【補正方法】変更
【補正の内容】
【図５】
2004169534.tif 000059
【手続補正５】
【補正対象書類名】図面
【補正対象項目名】図１４
【補正方法】変更
【補正の内容】
【図１４】
2004169534.tif 000060
【手続補正６】
【補正対象書類名】図面
【補正対象項目名】図１５
【補正方法】変更
【補正の内容】
【図１５】
2004169534.tif 000061
【手続補正７】
【補正対象書類名】図面
【補正対象項目名】図１６
【補正方法】変更
【補正の内容】
【図１６】
2004169534.tif 000062
【手続補正８】
【補正対象書類名】図面
【補正対象項目名】図１７
【補正方法】変更
【補正の内容】
【図１７】
2004169534.tif 000063
【手続補正９】
【補正対象書類名】図面
【補正対象項目名】図１８
【補正方法】変更
【補正の内容】
【図１８】
2004169534.tif 000064
【手続補正１０】
【補正対象書類名】図面
【補正対象項目名】図１９
【補正方法】変更
【補正の内容】
【図１９】
2004169534.tif 000065
【手続補正１１】
【補正対象書類名】図面
【補正対象項目名】図２０
【補正方法】変更
【補正の内容】
【図２０】
2004169534.tif 000066
【手続補正１２】
【補正対象書類名】図面
【補正対象項目名】図２１
【補正方法】変更
【補正の内容】
【図２１】
2004169534.tif 000067
【手続補正１３】
【補正対象書類名】図面
【補正対象項目名】図２２
【補正方法】変更
【補正の内容】
【図２２】
2004169534.tif 000068
【手続補正１４】
【補正対象書類名】図面
【補正対象項目名】図２３
【補正方法】変更
【補正の内容】
【図２３】
2004169534.tif 000069
【手続補正１５】
【補正対象書類名】図面
【補正対象項目名】図２４
【補正方法】変更
【補正の内容】
【図２４】
2004169534.tif 000070
【手続補正１６】
【補正対象書類名】図面
【補正対象項目名】図２５
【補正方法】変更
【補正の内容】
【図２５】
2004169534.tif 000071